(57)【要約】【課題】電子メール受信機能、Ｗｅｂブラウザ機能及び、ＷＷＷサーバー機能というネットワークを利用するサービス機能を付加することにより、使い勝手を向上させた優れたドアホン装置を提供する。【解決手段】ドアホン子器１Ｄと、公衆回線ＫＫを介してＷＷＷサーバー３に接続されるドアホン親器１と、から構成される公衆回線ＫＫを使用したドアホン装置であって、前記ドアホン親器１はＷｅｂブラウザ部１−５を有しており、前記ＷＷＷサーバー３からのＰｕｓｈ配信により前記ＷＷＷサーバー３からデータを取得した場合には、判別結果を得る手段により取得したデータの内容からキーワードを判別して判別結果を得るとともに、該判別結果として得たキーワードと予め記憶されたデータベースのキーワードとを照合する手段と、照合により一致したキーワードと関連づけた制御内容により宅内機器１Ｔを制御する手段と、を有することを特徴とする。【選択図】図１
2008125122.tif 000002
【特許請求の範囲】
【請求項１】
ドアホン子器と、公衆回線を介してＷＷＷサーバーに接続されるドアホン親器と、から構成される公衆回線を使用したドアホン装置であって、前記ドアホン親器はＷｅｂブラウザ部を有しており、前記ＷＷＷサーバーにアクセスを行ないデータを取得する手段と、該データを表示する手段と、前記データを記憶する手段と、キーワードと制御内容を関連づけたデータベースを予め記憶する手段と、前記データの内容を判別して判別結果を得る手段とを有し、前記ドアホン親器は、前記ＷＷＷサーバーからのＰｕｓｈ配信により前記ＷＷＷサーバーからデータを取得した場合には、前記判別結果を得る手段により取得したデータの内容からキーワードを判別して判別結果を得るとともに、該判別結果として得たキーワードと予め記憶されたデータベースのキーワードとを照合する手段と、照合により一致したキーワードと関連づけた制御内容により宅内機器を制御する手段と、を有することを特徴とする公衆回線接続機能付ドアホン装置。
【請求項２】
請求項１記載の前記ドアホン親器の処理プログラムを記録した記録媒体。
【発明の詳細な説明】
【技術分野】
【０００１】
本発明は、公衆回線に接続したドアホン装置において、公衆回線を利用したサービス機能を付加することにより、使い勝手の向上をはかったドアホン装置に関する。
【背景技術】
【０００２】
図６に示すように、ドアホン装置を構成するドアホン親器１には、ドアホン子器１Ｄが接続され、他にもカメラと、センサーと、電気錠などの宅内機器とが接続されている。また、ドアホン親器１は公衆回線ＫＫにより公衆網／ＩＳＤＮに接続されており、この公衆網／ＩＳＤＮやインターネット上にはメールサーバー２、ＷＷＷサーバー３等が接続されている。こうしたドアホン装置が、公衆回線ＫＫに接続されている場合において、訪問者イベントが発生した場合には、ドアホン装置がそのイベントを宅外転送して、訪問者との通話を可能にしたり、訪問者の画像をファクシミリに出力したり、訪問者の画像ファイルや音声ファイルやデータをメール添付して送信したり、Ｗｅｂブラウザを有する端末から、公衆回線ＫＫを介してドアホン装置の有するＷＷＷサーバー部１−８にアクセスして、画像ファイルや音声ファイルやデータを取得することができた（特許文献１参照）。
【特許文献１】特願平１１−１１７２１８号（特開２０００−３０８０４４号公報）
【発明の開示】
【発明が解決しようとする課題】
【０００３】
ところが、上述した従来のドアホン装置は、直接公衆回線ＫＫを介してメールサーバー２から電子メールを受信したり、又は、ＷＷＷサーバー３にアクセスしてデータを取得したり、或いは、ＦＴＰサーバーにアクセスしてデータを取得するといったことができないと言う問題があった。更に、宅内ネットワークを介して宅内のＷｅｂブラウザ機能付端末から、ドアホン装置の有するデータを取得することができないと言う問題もあった。
【０００４】
本発明は、上記問題点を鑑み成されたものであり、その目的とするところは、電子メール受信機能、Ｗｅｂブラウザ機能及び、ＷＷＷサーバー機能というネットワークを利用するサービス機能を付加することにより、使い勝手を向上させた優れたドアホン装置を提供することにある。
【課題を解決するための手段】
【０００５】
請求項１記載の発明にあっては、ドアホン子器と、公衆回線を介してＷＷＷサーバーに接続されるドアホン親器と、から構成される公衆回線を使用したドアホン装置であって、前記ドアホン親器はＷｅｂブラウザ部を有しており、前記ＷＷＷサーバーにアクセスを行ないデータを取得する手段と、該データを表示する手段と、前記データを記憶する手段と、キーワードと制御内容を関連づけたデータベースを予め記憶する手段と、前記データの内容を判別して判別結果を得る手段とを有し、前記ドアホン親器は、前記ＷＷＷサーバーからのＰｕｓｈ配信により前記ＷＷＷサーバーからデータを取得した場合には、前記判別結果を得る手段により取得したデータの内容からキーワードを判別して判別結果を得るとともに、該判別結果として得たキーワードと予め記憶されたデータベースのキーワードとを照合する手段と、照合により一致したキーワードと関連づけた制御内容により宅内機器を制御する手段と、を有することを特徴とするものである。
【０００６】
請求項２記載の発明にあっては、請求項１記載の前記ドアホン親器の処理プログラムを記録した記録媒体であることを特徴とするものである。
【発明の効果】
【０００７】
請求項１記載の発明によれば、Ｗｅｂブラウザ部を付加することにより、公衆回線に常時接続している場合には、ドアホン装置においてデータ更新が生じた場合に最新データや最新ファイルをリアルタイムで取得して、表示または記憶することができると言う効果を奏する。さらに、取得したデータの内容を判別して、この判別結果に応じた制御を行うことができると言う効果を奏する。
【０００８】
請求項２記載の発明によれば、ドアホン親器の処理を行なうソフトウェアをＣＤ−ＲＯＭ、フロッピーディスク等の記録媒体に格納したものを準備しておけば、都度現場の要求に対応できると言う効果を奏する。
【発明を実施するための最良の形態】
【０００９】
本発明に係わる公衆回線接続機能付ドアホン装置の第１の実施の形態について図１、２、４を、参考例１について図３を、参考例２について、図５を用いて、夫々詳細に説明する。
【００１０】
図１に、本発明のドアホン装置の全体構成図を示す。全体構成としては、ドアホン親器１には、ドアホン子器１Ｄと、カメラ１Ｋと、センサー１Ｓと、電気錠などの宅内機器１Ｔとが接続されている。また、ドアホン親器１は公衆回線ＫＫにより公衆網／ＩＳＤＮに接続されており、この公衆網／ＩＳＤＮやインターネット上にはメールサーバー２、ＷＷＷサーバー３、ＦＴＰサーバー４やメール送信端末５が接続されている。ドアホン親器１では、公衆回線ＫＫや宅内ネットワークＴＮを介することにより、メールサーバー２、ＷＷＷサーバー３、ＦＴＰサーバー４から電子メールやデータを取得することができる。
【００１１】
次に、図２に、ドアホン親器１のソフトウェアブロック図を示す。ドアホン親器１は、接続制御部１−１２と、通話部１−１３と、画像／音声取込部１−１１と、イベント検出部１−１０と、宅内機器制御部１−９と、記憶部１−２と、登録部１−１と、音声出力部１−１４と、データ判別部１−１５と、表示部１−４と、電子メール受信部１−３と、Ｗｅｂブラウザ部１−５と、ＷＷＷサーバー部１−８と、公衆回線接続制御部１−６と、宅内ネットワーク接続制御部１−７と、から構成されており、各部の役割は以下のようになる。
【００１２】
接続制御部１−１２では、ドアホン子器１Ｄからの呼び出しに応じて、通話部１−１３においてドアホン子器１Ｄとの通話を可能にする。通話部１−１３では、ドアホン子器１Ｄとの通話を行なう。画像／音声取込部１−１１では、カメラ１Ｋから送信されてくる画像や、ドアホン子器１Ｄから送信されてくる音声を取り込み記憶部１−２に記憶する。イベント検出部１−１０では、センサー１Ｓなどから発生したイベントを検出して、検出イベントとそれに関連する情報（イベント時間、センサーの設置場所など）を記憶部１−２に記憶する。
【００１３】
宅内機器制御部１−９では、データ判別部１−１５やＷＷＷサーバー部１−８から送信されてきた制御要求に応じて、電気錠などの宅内機器１Ｔの制御を行なう。記憶部１−２では、取り込んだ画像／音声や検出したイベントを記憶したり、要求に応じて記憶しているデータの出力を行なう。登録部１−１では、公衆回線ＫＫを介して取得したデータの判別結果に対応する制御内容を記憶部１−２に対して登録する。音声出力部１−１４では、メールサーバー２から公衆回線ＫＫを介して電子メールを受信したり、ＷＷＷサーバー３やＦＴＰサーバー４からデータを受信した場合に音により通知を行なう。
【００１４】
データ判別部１−１５では、電子メール受信部１−３において公衆回線ＫＫを介して受信した電子メールの内容（アドレス、メールの本文、デジタル署名など）を判別することで判別結果を得る。そして、この判別結果を登録部１−１においてあらかじめ記憶部１−２に記憶された制御内容と照合して、照合により一致した制御内容に応じた制御要求を宅内機器制御部１−９に対して送信する。また、Ｗｅｂブラウザ部１−５において、公衆回線ＫＫを介してＷＷＷサーバー３やＦＴＰサーバー４から取得したデータを判別して得られた判別結果に対しても同様の処理を行なう。
【００１５】
表示部１−４では、電子メール受信部１−３やＷｅｂブラウザ部１−５において公衆回線ＫＫを介して受信した電子メールやデータの表示を行なう。電子メール受信部１−３では、メールサーバー２から公衆回線ＫＫを介して送信されてきた電子メールを受信して、記憶部１−２に記憶したり、表示部１−４において表示を行なう。Ｗｅｂブラウザ部１−５では、公衆回線ＫＫを介してＷＷＷサーバー３やＦＴＰサーバー４にアクセスを行ないデータの取得を行なう。また、取得データを記憶部１−２に記憶したり、表示部１−４において表示したりする。
【００１６】
ＷＷＷサーバー部１−８では、宅内ネットワークＴＮを介してアクセスしてきたＷｅｂブラウザ機能付端末６からの要求に応じて、画像／音声データを返信したり、宅内機器制御部１−９に対して制御要求を送信したりする。公衆回線接続制御部１−６では、公衆回線ＫＫを介してアクセスしたメールサーバー２やＷＷＷサーバー３やＦＴＰサーバー４とのデータ通信制御を行なう。また、公衆回線ＫＫを介して送信されてきたイベントの検出を行なう。宅内ネットワーク接続制御部１−７では、宅内ネットワークＴＮを介してアクセスしてきたＷｅｂブラウザ機能付端末６とＷＷＷサーバー部１−８とのデータ通信制御を行なう。
【００１７】
［参考例１］本参考例は、電子メール受信部を付加した場合であり、その構成は図３に示すように、ドアホン親器１は、宅内機器制御部１−９と、記憶部１−２と、音声出力部１−１４と、データ判別部１−１５と、登録部１−１と、表示部１−４と、電子メール受信部１−３と、公衆回線接続制御部１−６と、から構成されており、公衆回線接続制御部１−６において、公衆網／ＩＳＤＮと接続されている。また、宅内機器制御部１−９において電気錠などの宅内機器１Ｔに接続されている。
【００１８】
一般には、インターネットに接続されたパソコンなどから送信された電子メールは、プロバイダのメールサーバー２に蓄積される。そして、一定時間ごとに電子メール受信アプリケーションが、ＰＯＰ３などのプロトコルを用いてメールサーバー２に接続してメールの有無を確認するため、メールサーバー２への電子メールの到着時刻と電子メール受信アプリケーションでの電子メール取得時刻には、差が生じるが、公衆網／ＩＳＤＮと接続されているドアホン親器１は、ＡＯ／ＤＩなどの常時接続サービスを用いることで、公衆網／ＩＳＤＮに接続されたプロバイダのメールサーバー２と常時接続された状況にすることができる。
【００１９】
ドアホン親器１は常時電源が入った状態であり、かつ公衆回線ＫＫを介してメールサーバー２と常時接続できる。そのため、電子メールが到着した場合には、プロバイダのメールサーバー２からドアホン親器１に対して、電子メール到着通知を行ない、電子メール到着通知を受信したドアホン親器１は、電子メール受信アプリケーションを起動してＰＯＰ３などのプロトコルに従い、メールサーバー２から電子メールの取得を行なう。これにより、メールサーバー２への電子メール到着時刻と略同時にドアホン親器１において、電子メール取得を行なうことができる。これにより、電子メールが存在する時のみデータ通信を行なうため、通信トラフィック及び、通信コストの低減が図れるとともに、緊急のメールなどをリアルタイムで読むことが可能となる。
【００２０】
また、予め記憶部１−２にキーワードと制御内容を関連づけたデータベースを記憶させておき、メールサーバー２から取得した電子メールのメールアドレスや電子メールに付加されているデジタル署名やメールの内容を、判別した判別結果を得た後、この判別結果とデータベースを照合することで、一致した制御内容を実行する。これにより、緊急の電子メールを取得したことを家人に通知したり、電子メールの内容に応じた制御を行なうことが可能となる。例えば、「緊急：音による通知」「照明ＯＦＦ：照明を消す」などの情報をデータベースに記憶させておいて、取得した電子メールに「緊急」という単語を発見した場合には、その時の制御内容として、”音による通知”を行なうことになる。
【００２１】
［第１の実施の形態］本実施の形態は、Ｗｅｂブラウザ部を付加した場合であり、その構成は図４に示すように、ドアホン親器１は、宅内機器制御部１−９と、記憶部１−２と、音声出力部１−１４と、データ判別部１−１５と、登録部１−１と、表示部１−４と、Ｗｅｂブラウザ部１−５と、公衆回線接続制御部１−６と、から構成されており、公衆回線接続制御部１−６において公衆網／ＩＳＤＮと接続されている。ドアホン親器１には、Ｗｅｂブラウザのアプリケーションが組み込まれ、起動されている。公衆網／ＩＳＤＮと接続されているドアホン親器１は、ＡＯ／ＤＩなどの常時接続サービスを用いることで、公衆網／ＩＳＤＮに接続されたプロバイダのＷＷＷサーバー３やＦＴＰサーバー４と常時接続された状況にすることができる。
【００２２】
ドアホン親器１は常時電源が入った状態であり、かつ公衆回線ＫＫを介してプロバイダのＷＷＷサーバー３と常時接続できる。そのため、プロバイダのＷＷＷサーバー３において、ニュースや天気予報などのデータ更新が行なわれた場合には、ＷＷＷサーバー３からのＰｕｓｈ配信により、ドアホン親器１のＷｅｂブラウザ部１−５において、リアルタイムで最新データを取得することが可能となる。
【００２３】
また、予め記憶部１−２にキーワードと制御内容を関連づけたデータベースを記憶させておく。そして、ＷＷＷサーバー３から取得したデータの内容を判別して判別結果を得た後、この判別結果とデータベースを照合することで、一致した制御内容を実行する。これにより、緊急のデータを取得したことを家人に通知したり、取得したデータの内容に応じた制御を行なうことが可能となる。例えば、「断水：断水があることを音声で通知」「雨：雨であることを音により通知」などの情報をデータベースに記憶させておいて、取得したデータに「断水」という単語を発見した場合には、その時の制御内容として「断水です」という音声により通知を行なうことになる。
【００２４】
また、ドアホン親器１は常時電源が入った状態であり、かつ公衆回線ＫＫを介してプロバイダのＦＴＰサーバー４とも常時接続できる。そのため、プロバイダのＦＴＰサーバー４において、時刻表などのデータファイル更新が行なわれた場合には、ドアホン親器１のＷｅｂブラウザ部１−５において、ＦＴＰサーバー４からリアルタイムで、最新データファイルを取得することが可能となる。また、予め記憶部１−２にキーワードと制御内容を関連づけたデータベースを記憶させておく。そして、ＦＴＰサーバー４から取得したデータファイルの内容を判別して判別結果を得た後、この判別結果とデータベースを照合することで一致した制御内容を実行する。これにより、緊急のデータファイルを取得したことを家人に通知したり、取得したデータの内容に応じた制御を行なうことが可能となる。例えば、「時刻表：時刻表が変化したことを表示により通知」などの情報をデータベースに記憶させておいて、取得したデータに「時刻表」という単語を発見した場合には、その時の制御内容として「時刻表が変化しました」という表示により通知を行なうことになる。
【００２５】
［参考例２］本参考例は、ＷＷＷサーバー部を付加した場合であり、その構成は図５に示すように、ドアホン親器１は、接続制御部１−１２と、通話部１−１３と、画像／音声取込部１−１１と、イベント検出部１−１０と、宅内機器制御部１−９と、記憶部１−２と、ＷＷＷサーバー部１−８と、宅内ネットワーク接続制御部１−７と、から構成されており、宅内ネットワーク接続制御部１−７おいて宅内ネットワークと接続されている。ドアホン親器１には、ＨＴＴＰサーバーのアプリケーションが組み込まれており、起動されている。ドアホン親器１は常時電源が入った状態であり、ドアホン親器１は有線や無線ＬＡＮによりＷｅｂブラウザ機能付端末６と接続されている。ここで、Ｗｅｂブラウザ機能付端末６としては、Ｗｅｂブラウザ機能とその表示機能が一体化しているものもあれば、ＷｅｂＴＶとテレビ、又は、Ｗｅｂブラウザ機能内蔵テレビゲーム機とテレビ等のように、複数の機器によりＷｅｂブラウザ機能とその表示機能が実現されるものもある。
【００２６】
Ｗｅｂブラウザ機能付端末６から、ＷＷＷサーバー部１−８にアクセスが行なわれ、ｈｔｍｌファイルの要求や、ｃｇｉプログラムの起動要求などが行なわれた場合には、ＷＷＷサーバー部１−８は、それに対応する情報ファイルを作成して要求してきた端末に対して返信する。これにより、ドアホン親器１に記憶されている訪問者の画像／音声やセンサーのイベントデータなどを、ドアホン親器１以外のＷｅｂブラウザ機能付端末６で確認することが可能となったり、ｃｇｉプログラムによりドアホン親器１と接続された電気錠などの宅内機器１ＴをＷｅｂブラウザ機能付端末６で、制御することが可能となる。例えば、ＴＶゲームのコントローラを用いてＴＶ画面上で訪問者の画像／音声を確認したり、電気錠の監視制御を行なうことが可能となり、ドアホン親器１以外からもデータの確認や機器の監視制御が行なえることになる。
【００２７】
なお、本発明においては、上述した第１の実施の形態におけるドアホン親器１の処理を行なうソフトウェアをＣＤ−ＲＯＭ、フロッピーディスク等の記録媒体に格納したものを準備しておき、それを都度現場の要求に従い、ドアホン親器１にインストールしてもよい。
【図面の簡単な説明】
【００２８】
【図１】本発明に係わる公衆回線接続機能付ドアホン装置の全体構成のブロック図である。
【図２】上記公衆回線接続機能付ドアホン装置のソフトウェアブロック図を示した図である。
【図３】本発明に係わる公衆回線接続機能付ドアホン装置の参考例１を表わすメール受信機能を付加した場合の例である。
【図４】本発明に係わる公衆回線接続機能付ドアホン装置の第１の実施の形態を表わすＷｅｂブラウザ機能を付加した場合の例である。
【図５】本発明に係わる公衆回線接続機能付ドアホン装置の参考例２を表わすＷＷＷサーバー機能を付加した場合の例である。
【図６】従来の公衆回線接続機能付ドアホン装置の全体構成のブロック図である。
【符号の説明】
【００２９】
ＫＫ  公衆回線
ＴＮ  宅内ネットワーク
１    ドアホン親器
１Ｄ  ドアホン子器
１Ｋ  カメラ
１Ｓ  センサー
１Ｔ  宅内機器
１−１  登録部
１−２  記憶部
１−３  電子メール受信部
１−４  表示部
１−５  Ｗｅｂブラウザ部
１−６  公衆回線接続制御部
１−７  宅内ネットワーク接続制御部
１−８  ＷＷＷサーバー部
１−９  宅内機器制御部
１−１０  イベント検出部
１−１１  画像／音声取込部
１−１２  接続制御部
１−１３  通話部
１−１４  音声出力部
１−１５  データ判別部
２  メールサーバー
３  ＷＷＷサーバー
４  ＦＴＰサーバー
５  メール送信端末
６  Ｗｅｂブラウザ機能付端末
【図１】
2008125122.tif 000003
【図２】
2008125122.tif 000004
【図３】
2008125122.tif 000005
【図４】
2008125122.tif 000006
【図５】
2008125122.tif 000007
【図６】
2008125122.tif 000008